【手続補正書】
【提出日】平成20年5月15日(2008.5.15)
【手続補正１】
【補正対象書類名】明細書
【補正対象項目名】特許請求の範囲
【補正方法】変更
【補正の内容】
【特許請求の範囲】
【請求項１】
（Ｉ）下記（α−１）、（α−２）、（α−３）、（α−４）および（α−５）の類からなる群から選択された１つの立体障害性アミン化合物と；
（ＩＩ）下記（β−１）、（β−２）、（β−３）および（β−４）の類からなる群から選択された１つの立体障害性アミン化合物とを含む安定剤混合物：
（α−１）  式（Ａ−１）：
【化１】
2003535206.tif 000001
［式中、Ｅ1は炭素原子数１ないし４のアルキル基を表し、ｍ1は１，２または４を表し、ｍ1が１を表すとき、Ｅ2は炭素原子数１ないし２５のアルキル基を表し、ｍ1が２を表す
とき、Ｅ2は炭素原子数１ないし１４のアルキレン基または式（ａ−Ｉ）：
【化２】
2003535206.tif 000002
（式中、Ｅ3は炭素原子数１ないし１０のアルキル基または炭素原子数２ないし１０のア
ルケニル基を表し、Ｅ4は炭素原子数１ないし１０のアルキレン基を表し、およびＥ5およびＥ6は互いに独立して、炭素原子数１ないし４のアルキル基、シクロヘキシル基または
メチルシクロヘキシル基を表す。）で表される基を表し、およびｍ1が４を表すとき、Ｅ2は炭素原子数４ないし１０のアルカンテトライル基を表す。］で表される化合物；
（α−２）  式（Ａ−２）：
【化３】
2003535206.tif 000003
［式中、基Ｅ7の２つは−ＣＯＯ−（炭素原子数１ないし２０のアルキル）であり、そし
て基Ｅ7の２つは式（ａ−ＩＩ）：
【化４】
2003535206.tif 000004
（式中、Ｅ8はＥ1の意味の１つを表す。）で表される基を表す。］で表される化合物；
（α−３）  式（Ａ−３）：
【化５】
2003535206.tif 000005
（式中、Ｅ9は炭素原子数１ないし２４のアルキル基を表し、およびＥ10はＥ1の意味の１つを表す。）で表される化合物；
（α−４）  式（Ａ−４）：
【化６】
2003535206.tif 000006
（式中、基Ｅ11は、互いに独立して、Ｅ1の意味の一つを表し、および基Ｅ12は水素原子
、炭素原子数１ないし１２のアルキル基または炭素原子数１ないし１２のアルコキシ基を表す。）で表される化合物；
（α−５）  式（Ａ−５）：
【化７】
2003535206.tif 000007
［式中、Ｅ13はＥ1の意味の１つを表し、そしてＥ14は式（ａ−ＩＩＩ）
【化８】
2003535206.tif 000008
（式中、基Ｅ15は互いに独立して、炭素原子数２ないし１２のアルキレン基を表し、および基Ｅ16は互いに独立して、炭素原子数１ないし１２のアルキル基または炭素原子数５ないし１２のシクロアルキル基を表す。）で表される基を表す。］で表される化合物；
（β−１）  式（Ｂ−１）：
【化９】
2003535206.tif 000009
［式中、Ｒ1、Ｒ3、Ｒ4およびＲ5は互いに独立して、水素原子、炭素原子数１ないし１２のアルキル基、炭素原子数５ないし１２のシクロアルキル基、炭素原子数１ないし４のアルキル基で置換された炭素原子数５ないし１２のシクロアルキル基、フェニル基、−ＯＨおよび／または炭素原子数１ないし１０のアルキル基で置換されたフェニル基；炭素原子数７ないし９のフェニルアルキル基；フェニル基において−ＯＨおよび／または炭素原子数１ないし１０のアルキル基で置換された炭素原子数７ないし９のフェニルアルキル基を表すか、あるいは式（ｂ−Ｉ）：
【化１０】
2003535206.tif 000010
で表される基を表し；
Ｒ2は炭素原子数２ないし１８のアルキレン基、炭素原子数５ないし７のシクロアルキレ
ン基または炭素原子数１ないし４のアルキレンジ（炭素原子数５ないし７のシクロアルキレン基）を表し；
あるいは基Ｒ1、Ｒ2およびＲ3は、それらが結合している窒素原子と一緒になって５ない
し１０員の複素環を形成し、またはＲ4およびＲ5は、それらが結合している窒素原子と一緒になって５ないし１０員の複素環を形成し；
Ｒ6は炭素原子数１ないし４のアルキル基を表し、およびｂ1は２ないし５０の数を表し、ただし、基Ｒ1、Ｒ3、Ｒ4およびＲ5の少なくとも１つは式（ｂ−Ｉ）で表される基を表す。］で表される化合物；
（β−２）  式（Ｂ−２）：
【化１１】
2003535206.tif 000011
［式中、Ｒ7およびＲ11は、互いに独立して、水素原子または炭素原子数１ないし１２の
アルキル基を表し、Ｒ8、Ｒ9およびＲ10は互いに独立して、炭素原子数２ないし１０のアルキレン基を表し、およびＸ1，Ｘ2，Ｘ3，Ｘ4，Ｘ5，Ｘ6，Ｘ7およびＸ8は互いに独立して、式（ｂ−ＩＩ）：
【化１２】
2003535206.tif 000012
（式中、Ｒ12は水素原子、炭素原子数１ないし１２のアルキル基、炭素原子数５ないし１２のシクロアルキル基、炭素原子数１ないし４のアルキル基で置換された炭素原子数５ないし１２のシクロアルキル基、フェニル基、−ＯＨおよび／または炭素原子数１ないし１０のアルキル基で置換されたフェニル基、炭素原子数７ないし９のフェニルアルキル基、フェニル基において−ＯＨおよび／または炭素原子数１ないし１０のアルキル基で置換された炭素原子数７ないし９のフェニルアルキル基を表すか；あるいは上記で定義された式（ｂ−Ｉ）で表される基を表し；およびＲ13はＲ6の意味の１つを表す。）を表す。］で
表される化合物；
（β−３）  式（Ｂ−３）：
【化１３】
2003535206.tif 000013
（式中、Ｒ14，Ｒ15，Ｒ16，Ｒ17およびＲ18は互いに独立して、直接結合または炭素原子数１ないし１０のアルキレン基を表し、Ｒ19はＲ6の意味の１つを表し、およびｂ2は１ないし５０の数を表す。）
で表される化合物；
（β−４）  式（Ｂ−４−１）で表されるポリアミンと塩化シアヌルとの反応により得られた生成物と、式（Ｂ−４−２）で表される化合物とを反応させることにより得られる生成物（Ｂ−４）
【化１４】
2003535206.tif 000014
（式中、ｂ’3，ｂ”3およびｂ’”3は互いに独立して、２ないし１２の数を表し、Ｒ
20は水素原子、炭素原子数１ないし１２のアルキル基、炭素原子数５ないし１２のシクロアルキル基、フェニル基または炭素原子数７ないし９のフェニルアルキル基を表し、およびＲ21はＲ6の意味の１つを表す。）。
【請求項２】
成分（Ｉ）が類（α−１）から選択されおよび、成分（ＩＩ）が類（β−１）から選択されるか；または
成分（Ｉ）が類（α−１）から選択され、および成分（ＩＩ）が類（β−２）から選択されるか；または
成分（Ｉ）が類（α−１）から選択され、および成分（ＩＩ）が類（β−３）から選択されるか；または
成分（Ｉ）が類（α−１）から選択され、および成分（ＩＩ）が類（β−４）から選択されるか；または
成分（Ｉ）が類（α−２）から選択され、および成分（ＩＩ）が類（β−１）から選択されるか；または
成分（Ｉ）が類（α−２）から選択され、および成分（ＩＩ）が類（β−２）から選択さ
れるか；または
成分（Ｉ）が類（α−２）から選択され、および成分（ＩＩ）が類（β−３）から選択されるか；または
成分（Ｉ）が類（α−２）から選択され、および成分（ＩＩ）が類（β−４）から選択されるか；または
成分（Ｉ）が類（α−３）から選択され、および成分（ＩＩ）が類（β−１）から選択されるか；または
成分（Ｉ）が類（α−３）から選択され、および成分（ＩＩ）が類（β−２）から選択されるか；または
成分（Ｉ）が類（α−３）から選択され、および成分（ＩＩ）が類（β−３）から選択されるか；または
成分（Ｉ）が類（α−３）から選択され、および成分（ＩＩ）が類（β−４）から選択されるか；または
成分（Ｉ）が類（α−４）から選択され、および成分（ＩＩ）が類（β−１）から選択されるか；または
成分（Ｉ）が類（α−４）から選択され、および成分（ＩＩ）が類（β−２）から選択されるか；または
成分（Ｉ）が類（α−４）から選択され、および成分（ＩＩ）が類（β−３）から選択されるか；または
成分（Ｉ）が類（α−４）から選択され、および成分（ＩＩ）が類（β−４）から選択されるか；または
成分（Ｉ）が類（α−５）から選択され、および成分（ＩＩ）が類（β−１）から選択されるか；または
成分（Ｉ）が類（α−５）から選択され、および成分（ＩＩ）が類（β−２）から選択されるか；または
成分（Ｉ）が類（α−５）から選択され、および成分（ＩＩ）が類（β−３）から選択されるか；または
成分（Ｉ）が類（α−５）から選択され、および成分（ＩＩ）が類（β−４）から選択される、請求項１記載の安定剤混合物。
【請求項３】
成分（Ｉ）が式（Ａ−１−ａ）、（Ａ−１−ｂ）、（Ａ−１−ｃ）、（Ａ−１−ｄ）、（Ａ−２−ａ）、（Ａ−３−ａ）、（Ａ−４−ａ）または（Ａ−５−ａ）で表される化合物であり；および成分（ＩＩ）が式（Ｂ−１−ａ）、（Ｂ−１−ｂ）、（Ｂ−１−ｃ）、（Ｂ−２−ａ）、（Ｂ−３−ａ）で表される化合物または生成物（Ｂ−４−ａ）である：
【化１５】
2003535206.tif 000015
（式中、基Ｅ7の２つは−ＣＯＯ−Ｃ13Ｈ27を表しおよび基Ｅ7の２つは
【化１６】
2003535206.tif 000016
を表す。）；
【化１７】
2003535206.tif 000017
【化１８】
2003535206.tif 000018
（式中、ｂ1は２ないし２０の数を表す。）；
【化１９】
2003535206.tif 000019
（式中、ｂ2は１ないし２０の数を表す。）；
式（Ｂ−４−１−ａ）で表されるポリアミンと塩化シアヌルとの反応から得られた生成物
と、式（Ｂ−４−２−ａ）で表される化合物との反応により得られる生成物（Ｂ−４−ａ）
【化２０】
2003535206.tif 000020
；請求項１記載の安定剤混合物。
【請求項４】
成分（Ｉ）が式（Ａ−１−ａ）、（Ａ−１−ｂ）、（Ａ−１−ｃ）、（Ａ−１−ｄ）、（Ａ−２−ａ）、（Ａ−３−ａ）、（Ａ−４−ａ）または（Ａ−５−ａ）で表される化合物であり；および成分（ＩＩ）が式（Ｂ−１−ｃ）または（Ｂ−２−ａ）で表される化合物である、請求項３記載の安定剤混合物。
【請求項５】
Ｅ1，Ｅ8，Ｅ10，Ｅ11，Ｅ13，Ｒ6，Ｒ13，Ｒ19およびＲ21がメチル基である請求項１記
載の安定剤混合物。
【請求項６】
別の成分として（Ｘ−１）顔料または、（Ｘ−２）紫外線吸収剤または、（Ｘ−３）顔料および紫外線吸収剤をさらに含む請求項１記載の安定剤混合物。
【請求項７】
光、熱または酸化により誘発される分解を受けやすい有機材料および請求項１記載の安定剤混合物を含む組成物。
【請求項８】
前記有機材料に請求項１記載の安定剤混合物を均質混合することからなる光、熱または酸化により誘発される分解に対して有機材料を安定化するための方法。